【手続補正書】
【提出日】平成16年3月24日(2004.3.24)
【手続補正１】
【補正対象書類名】明細書
【補正対象項目名】発明の名称
【補正方法】変更
【補正の内容】
【発明の名称】音声認識システムおよび音声認識方法および記録媒体および音声認識装置
【手続補正２】
【補正対象書類名】明細書
【補正対象項目名】特許請求の範囲
【補正方法】変更
【補正の内容】
【特許請求の範囲】
【請求項１】
通信端末と、前記通信端末と通信網を介して接続される記憶手段とを備え、前記通信端末は、音声および／または周囲の騒音が入力される音声入力手段と、音声入力手段から入力された音声の特徴量を抽出する特徴抽出手段と、前記音声の特徴量を所定の認識モデルパラメータセットと照合することにより音声を認識する音声認識手段と、前記音声入力手段から入力された周囲の騒音を検証する騒音検証手段とを有し、前記騒音検証手段は、周囲の騒音を検証したときに、検証した騒音の種類に応じた認識モデルパラメータセットを記憶手段に記憶されている複数の認識モデルパラメータセットの中から選択し、前記音声認識手段は、前記騒音検証手段によって選択された認識モデルパラメータセットを用いて、音声認識を行なうようになっていることを特徴とする音声認識システム。
【請求項２】
通信端末と、前記通信端末と通信網を介して接続される音声認識手段と、前記通信端末と通信網を介して接続される記憶手段とを備え、前記通信端末は、音声および／または周囲の騒音が入力される音声入力手段と、音声入力手段から入力された音声の特徴量を抽出する特徴抽出手段と、前記音声入力手段から入力された周囲の騒音を検証する騒音検証手段とを有し、前記騒音検証手段は、周囲の騒音を検証したときに、検証した騒音の種類に応じた認識モデルパラメータセットを記憶手段に記憶されている複数の認識モデルパラメータセットの中から選択し、前記音声認識手段は、通信端末の特徴抽出手段によって抽出された音声の特徴量が通信端末から送られたときに、送られた音声の特徴量を前記騒音検証手段によって選択された認識モデルパラメータセットと照合することにより音声認識を行なうようになっていることを特徴とする音声認識システム。
【請求項３】
通信端末と、前記通信端末と通信網を介して接続される音声認識手段と、前記通信端末と通信網を介して接続される騒音検証手段と、前記通信端末と通信網を介して接続される記憶手段とを備え、前記通信端末は、音声および／または周囲の騒音が入力される音声入力手段と、音声入力手段から入力された音声の特徴量を抽出する特徴抽出手段とを有し、前記騒音検証手段は、前記音声入力手段から入力された周囲の騒音を検証したときに、検証した騒音の種類に応じた認識モデルパラメータセットを記憶手段に記憶されている複数の認識パラメータセットの中から選択し、前記音声認識手段は、通信端末の特徴抽出手段によって抽出された音声の特徴量が通信端末から送られたときに、送られた音声の特徴量を前記騒音検証手段によって選択された認識モデルパラメータセットと照合することにより音声認識を行なうようになっていることを特徴とする音声認識システム。
【請求項４】
通信端末と、前記通信端末と通信網を介して接続される音声認識手段と、前記通信端末と通信網を介して接続される騒音検証手段と、前記通信端末と通信網を介して接続される特徴抽出手段と、前記通信端末と通信網を介して接続される記憶手段とを備え、前記通信端末は、音声および／または周囲の騒音が入力される音声入力手段を有し、前記特徴抽出手段は、通信端末の音声入力手段で入力された音声が通信端末から送られるときに、入力された音声の特徴量を抽出し、前記騒音検証手段は、通信端末の音声入力手段で入力された周囲の騒音が通信端末から送られるときに、周囲の騒音を検証し、検証した騒音の種類に応じた認識パラメータセットを記憶手段に記憶されている複数の認識パラメータセットの中から選択し、前記音声認識手段は、特徴抽出手段によって抽出された音声の特徴量を前記騒音検証手段によって選択された認識モデルパラメータセットと照合することにより音声認識を行なうようになっていることを特徴とする音声認識システム。
【請求項５】
請求項１乃至請求項４のいずれか一項に記載の音声認識システムにおいて、前記通信端末は、移動用通信端末であることを特徴とする音声認識システム。
【請求項６】
通信端末から入力した音声の特徴量を抽出する特徴抽出手段と、前記特徴量より音声を認識する音声認識手段と、前記通信端末から入力した周囲の騒音を検証する騒音検証手段と、前記通信端末と通信網を介して接続された記憶手段とを備え、前記音声認識手段は、前記記憶手段に記憶されている複数の認識モデルパラメータセットの中から前記騒音検証手段を用いて選択された認識モデルパラメータセットを用いて、音声認識を行うことを特徴とする音声認識方法。
【請求項７】
請求項６記載の音声認識方法において、前記音声認識手段に記憶されている認識モデルパラメータセットを、通信網を介して前記記憶手段に転送することを特徴とする音声認識方法。
【請求項８】
請求項６または請求項７記載の音声認識方法において、特徴抽出手段，音声認識手段，騒音検証手段を前記通信端末に備え、前記騒音検証手段を用いて前記記憶手段に記憶されている認識モデルパラメータセットを選択し、選択された認識モデルパラメータセットを通信網を介して前記通信端末に取り込み、音声認識手段に記憶することを特徴とする音声認識方法。
【請求項９】
請求項６記載の音声認識方法において、特徴抽出手段と騒音検証手段とを前記通信端末に備え、また、通信端末と通信網を介して音声認識手段を備え、前記騒音検証手段を用いて前記記憶手段に記憶されている認識モデルパラメータセットを選択し、選択された認識モデルパラメータセットを音声認識手段に用いることを特徴とする音声認識方法。
【請求項１０】
請求項６記載の音声認識方法において、特徴抽出手段を前記通信端末に備え、また、通信端末と通信網を介して騒音検証手段，音声認識手段を備え、前記騒音検証手段を用いて前記記憶手段に記憶されている認識モデルパラメータセットを選択し、選択された認識モデルパラメータセットを音声認識手段に用いることを特徴とする音声認識方法。
【請求項１１】
請求項６記載の音声認識方法において、通信端末と通信網を介して特徴抽出手段，騒音検証手段，音声認識手段を備え、前記騒音検証手段を用いて前記記憶手段に記憶されている認識モデルパラメータセットを選択し、選択された認識モデルパラメータセットを音声認識手段に用いることを特徴とする音声認識方法。
【請求項１２】
請求項６乃至請求項１１のいずれか一項に記載の音声認識方法において、騒音検証手段の検証モデルと音声認識手段および／または記憶手段の認識モデルパラメータを入力音声特徴量を用いて更新することを特徴とする音声認識方法。
【請求項１３】
請求項６乃至請求項１１のいずれか一項に記載の音声認識方法において、騒音検証手段の検証モデルと記憶手段の認識モデルパラメータセットとを追加可能であって、追加された検証モデルと追加された認識モデルパラメータセットとを、入力音声特徴量を用いて更新することを特徴とする音声認識方法。
【請求項１４】
周囲の騒音を検証したときに、検証した騒音の種類に応じた認識モデルパラメータセットを記憶手段に記憶されている複数の認識モデルパラメータセットの中から選択し、選択された認識モデルパラメータセットを用いて、音声認識を行なう処理をコンピュータに実行させるためのプログラムを記録したコンピュータ読取可能な記録媒体。
【請求項１５】
音声および／または周囲の騒音が入力される音声入力手段と、音声入力手段から入力された音声の特徴量を抽出する特徴抽出手段と、前記音声の特徴量を所定の認識モデルパラメータセットと照合することにより音声を認識する音声認識手段と、前記音声入力手段から入力された周囲の騒音を検証する騒音検証手段とを有する音声認識装置であって、前記騒音検証手段は、周囲の騒音を検証したときに、検証した騒音の種類に応じた認識モデルパラメータセットを当該音声認識装置に通信網を介して接続された記憶手段に記憶されている複数の認識モデルパラメータセットの中から選択し、前記音声認識手段は、前記騒音検証手段によって選択された認識モデルパラメータセットを用いて、音声認識を行なうようになっていることを特徴とする音声認識装置。
【手続補正３】
【補正対象書類名】明細書
【補正対象項目名】０００１
【補正方法】変更
【補正の内容】
【０００１】
【発明の属する技術分野】
本発明は、音声認識システムおよび音声認識方法および記録媒体および音声認識装置に関する。


【手続補正４】
【補正対象書類名】明細書
【補正対象項目名】０００５
【補正方法】変更
【補正の内容】
【０００５】
本発明は、移動用通信端末などの通信端末からの音声入力時の背景騒音環境が変化する様々な場面においても、精度よく音声認識を行うことの可能な音声認識システムおよび音声認識方法および記録媒体および音声認識装置を提供することを目的としている。


【手続補正５】
【補正対象書類名】明細書
【補正対象項目名】００１９
【補正方法】変更
【補正の内容】
【００１９】
また、請求項１４記載の発明は、周囲の騒音を検証したときに、検証した騒音の種類に応じた認識モデルパラメータセットを記憶手段に記憶されている複数の認識モデルパラメータセットの中から選択し、選択された認識モデルパラメータセットを用いて、音声認識を行なう処理をコンピュータに実行させるためのプログラムを記録したコンピュータ読取可能な記録媒体である。
また、請求項１５記載の発明は、音声および／または周囲の騒音が入力される音声入力手段と、音声入力手段から入力された音声の特徴量を抽出する特徴抽出手段と、前記音声の特徴量を所定の認識モデルパラメータセットと照合することにより音声を認識する音声認識手段と、前記音声入力手段から入力された周囲の騒音を検証する騒音検証手段とを有する音声認識装置であって、前記騒音検証手段は、周囲の騒音を検証したときに、検証した騒音の種類に応じた認識モデルパラメータセットを当該音声認識装置に通信網を介して接続された記憶手段に記憶されている複数の認識モデルパラメータセットの中から選択し、前記音声認識手段は、前記騒音検証手段によって選択された認識モデルパラメータセットを用いて、音声認識を行なうようになっていることを特徴としている。
【手続補正６】
【補正対象書類名】明細書
【補正対象項目名】００６９
【補正方法】変更
【補正の内容】
【００６９】
【発明の効果】
以上に説明したように、請求項１乃至請求項１５記載の発明によれば、周囲の騒音を検証し、騒音環境に最も適合する認識モデルパラメータを用いて、音声認識を行なうようになっているので、使用環境によらずに精度良く音声認識を行うことができる。また、通信網を介した記憶手段を設けることにより、通信端末の記憶容量を節約できる。